(57)【特許請求の範囲】
【請求項１】
マトリクス状に配置された複数の画素のそれぞれに表示素子を備える表示パネルに対し、各表示素子に供給する電力を制御することで所望イメージを表示する表示装置の駆動装置であって、
各画素における表示内容に応じた画素データの中、Ｎフレーム目のｎ番目の水平走査ラインに相当する画素データと、Ｎ−１フレーム目のｎ番目の水平走査ラインに相当する画素データとの比較演算をする比較演算部と、
輝度低減率を設定する輝度決定部と、を備え、
前記水平走査ラインに相当する画素データは、１水平走査ライン分の画素データの加算値又は平均値であり、
前記輝度決定部は、
比較演算結果と、
Ｎ−１フレーム目に相当する全画素データの合計値又はＮ−１フレーム目のｎ番目の水平走査ラインからＮフレーム目のｎ−１番目の水平走査ラインに相当する全画素データの合計値と、
に基づいてＮフレーム目のｎ番目またはそれ以降の水平走査ラインに相当する画素データに対する前記輝度低減率を決定し、
前記表示素子は、供給された電流量に応じた輝度で発光する電流駆動型素子であり、設定された前記輝度低減率に応じた電流が各表示素子に供給される
ことを特徴とする表示装置の駆動装置。
【請求項２】
請求項１に記載の表示装置の駆動装置において、
前記輝度決定部は、
前記比較演算結果と、
前記Ｎ−１フレーム目に相当する全画素データの合計値又は前記Ｎ−１フレーム目のｎ番目の水平走査ラインからＮフレーム目のｎ−１番目の水平走査ラインに相当する全画素データの合計値と、に基づいて、
Ｎフレーム目の全画素データの予測値を求め、この予測値が、所定制限値を超える場合、
該制限値を超えないように前記輝度低減率を決定することを特徴とする表示装置の駆動装置。
【請求項３】
請求項１又は請求項２に記載の表示装置の駆動装置において、
さらに、Ｎフレーム目のｎ番目の水平走査ラインに相当する画素データの１ライン分を算出するラインデータ算出部と、
前記ラインデータ算出部で求めたラインデータを１フレーム期間遅延させる遅延部と、をさらに備え、
前記比較演算部は、
前記遅延部で遅延された１フレーム前のＮ−１フレーム目のｎ番目の水平走査ラインにかかる画素データのラインデータと、Ｎフレーム目のｎ番目の水平走査ラインにかかる画素データのラインデータとを比較演算し、前記輝度決定部に前記比較演算結果を供給することを特徴とする表示装置の駆動装置。
【請求項４】
請求項１〜請求項３のいずれか一項に記載の表示装置の駆動装置において、
前記比較演算部は、前記比較演算結果として、Ｎフレーム目のｎ番目の水平走査ラインに相当する画素データと、Ｎ−１フレーム目のｎ番目の水平走査ラインに相当する画素データとの差分を求めることを特徴とする表示装置の駆動装置。
【請求項５】
請求項１〜請求項３のいずれか一項に記載の表示装置の駆動装置において、
前記比較演算部は、前記比較演算結果として、Ｎフレーム目のｎ番目の水平走査ラインに相当する画素データと、Ｎ−１フレーム目のｎ番目の水平走査ラインに相当する画素データとの比を求めることを特徴とする表示装置の駆動装置。
【請求項６】
請求項１〜請求項５のいずれか一項に記載の表示装置の駆動装置において、
前記Ｎフレーム目のｎ番目の水平走査ラインに相当する画素データと、Ｎ−１フレーム目のｎ番目の水平走査ラインに相当する画素データとの差が負であるか又は比が１より小さい時は、それぞれ、前記差が０である又は前記比が１であるとして、前記輝度低減率を決定することを特徴とする表示装置の駆動装置。
【請求項７】
請求項１〜請求項６のいずれか一項に記載の表示装置の駆動装置において、
前記輝度決定部の入力側又は出力側に、ローパスフィルタを備えることを特徴とする表示装置の駆動装置。
【請求項８】
マトリクス状に配置された複数の画素のそれぞれに表示素子を備える表示パネルに対し、各表示素子に供給する電力を制御することで所望イメージを表示する表示装置の駆動方法であって、
各画素における表示内容に応じた画素データの中、Ｎフレーム目のｎ番目の水平走査ラインに相当する画素データと、Ｎ−１フレーム目のｎ番目の水平走査ラインに相当する画素データとを比較演算し、
前記水平走査ラインに相当する画素データは、１水平走査ライン分の画素データの加算値又は平均値であり、
前記比較演算結果と、
Ｎ−１フレーム目に相当する全画素データ又はＮ−１フレーム目のｎ番目の水平走査ラインからＮフレーム目のｎ−１番目の水平走査ラインに相当する全画素データと、
に基づいて、
Ｎフレーム目のｎ番目またはそれ以降の水平走査ラインに相当する画素データに対する前記輝度低減率を決定するものであり、
前記表示素子は、供給された電流量に応じた輝度で発光する電流駆動型素子であり、設定された前記輝度低減率に応じた電流が各表示素子に供給される
ことを特徴とする表示装置の駆動方法。
【発明の詳細な説明】
【技術分野】
【０００１】
表示素子がマトリックス状に配置された表示装置において、最大消費電力を制限する方法に関する。
【背景技術】
【０００２】
従来より、表示装置として、薄型で小型、かつ低消費電力の平面表示装置として、液晶表示装置（ＬＣＤ）等が知られている。近年では、各画素に発光素子（エレクトロルミネッセンス素子）を用いた表示装置の開発も進み、特に発光材料などに有機材料を用いた有機発光素子（以下ＯＬＥＤ素子）を用いたＯＬＥＤ表示装置について研究開発が行われている。
【０００３】
このＯＬＥＤ素子は、素子に流れる電流に応じた輝度で発光する電流駆動型の自発光型素子である。このため、ＬＣＤのような視野角依存性が低く、また、光源を必要としないので、視認性に優れ、低消費電力の表示装置をより省スペースで実現できる等のメリットがあり期待されている。
【０００４】
上記ＯＬＥＤ素子を用いた表示装置において、表示パネル全体では、表示画像の平均輝度にほぼ比例した電流が流れるので、暗い画像を表示する場合には、消費電力は非常に少ないが、明るい画像を表示するほどパネルとしての消費電力が大きくなる。全画素が最大輝度に近い輝度での発光が続くような場合には、ＯＬＥＤパネルの低消費電力のメリットが薄れてしまう。
【０００５】
さらに、ＯＬＥＤ素子では、現在その寿命に課題があることが知られており、この寿命及び素子の消費電力は、発光輝度と発光時間との積に依存している。そこで、素子の寿命を延ばし、かつ消費電力を低減する目的で発光輝度を制限することが、例えば特許文献１に記載されている。この特許文献１では、画素データをフレーム単位で記憶し、そのデータの平均輝度等を計算し、結果に基づいて画像フレームデータに輝度低減処理を施すことが記載されている。
【０００６】
また、特許文献２には、ＬＣＤやＰＤＰなどにおける画面の黒つぶれ、白つぶれなどを抑え、コントラストを改善するために、画素データをフレーム単位で記憶して、ヒストグラムを計算し、その結果に基づいて、画素データに対するいわゆるγ補正の補正値を調整し、画素データに対する輝度調整をすることが記載されている。
【０００７】
【特許文献１】特開２００２−１１６７３２号
【特許文献２】特開平７−３２２１７９号
【発明の開示】
【発明が解決しようとする課題】
【０００８】
特許文献１のような輝度低減処理により、パネルの制限電流を越えないように駆動データを作成することができ、各ＯＬＥＤ素子に流れる電流を低減し低消費電力化を図ることができる。しかし、特許文献１の処理では、フレームメモリを設け、表示するフレームと演算に用いるフレームが同一でないと正確に制御ができない。回路規模の縮小またはコスト低減のためフレームメモリを省略することは、技術的には可能であるが、実際に省略すると、応答が１フレーム期間遅れる。つまり、急激な輝度変化には対応できず、少なくとも１フレーム程度、制限電流を越えてしまう。これでは、十分な消費電力の削減効果やＯＬＥＤ素子の長寿命化を達成することができない。さらに、制限電流を超えた場合、突然表示輝度が上昇して、これが１フレーム期間程度継続するので、観察者に視認され、逆に表示品質を損ねる原因にもなりかねない。
【０００９】
また、特許文献２に記載されたような輝度調整方法においても、フレームメモリが必要であり、このメモリがないと正確な調整ができない。仮に、フレームメモリを省略した場合を想定すると、急激に画素データの輝度レベルが上昇した場合、対応できないので消費電力の抑制効果が低くなる。その上、例えば、上昇直前まで黒レベル付近でコントラストが取れるように設定された補正値がそのまま適用されるので、白レベル側の階調が失われ、いわゆる白飛びした画像が表示されやすくなるという問題も生じ、表示品質の低下も問題となる。
【００１０】
本発明では、簡易な構成によって、入力される画素データのレベル（輝度レベル）が高い場合であっても、表示装置の消費電力を瞬時かつ確実に抑制する。
【課題を解決するための手段】
【００１１】
本発明は、マトリクス状に配置された複数の画素のそれぞれに表示素子を備える表示パネルに対し、各表示素子に供給する電力を制御することで所望イメージを表示する表示装置の駆動装置及び駆動方法であって、各画素における表示内容に応じた画素データの中、Ｎフレーム目のｎ番目の水平走査ラインに相当する画素データと、Ｎ−１フレーム目のｎ番目の水平走査ラインに相当する画素データとを比較演算し、前記水平走査ラインに相当する画素データは、１水平走査ライン分の画素データの加算値又は平均値であり、前記比較演算の結果と、Ｎ−１フレーム目に相当する全画素データの合計値又はＮ−１フレーム目のｎ番目の水平走査ラインからＮフレーム目のｎ−１番目の水平走査ラインに相当する全画素データの合計値と、に基づいてＮフレーム目のｎ番目またはそれ以降の水平走査ラインに相当する画素データに対する前記輝度低減率を決定するものであり、前記表示素子は、供給された電流量に応じた輝度で発光する電流駆動型素子であり、設定された前記輝度低減率に応じた電流が各表示素子に供給されることを特徴とする。
【発明の効果】
【００１４】
本発明では、１水平走査ライン分に相当する画素データ（加算値又は平均値）を算出し、１フレーム前の同一ラインの画素データとの比較演算を行う。つまり、前後するフレームにおける輝度変化を、１ライン分の画素データを用いた演算から予測するので、輝度調整のためにフレームメモリを設ける必要が無く、非常に簡易な構成によってパネル電流を制限して表示装置の消費電力を低減することができる。
【００１５】
また、本発明では、上記比較演算結果と、さらにフレームデータ算出部でライン毎に画素データを加算して得る１フレーム分の画素データと、に基づいて輝度低減率を決定することができる。この１フレーム分の画素データは、過去の１フレーム分のデータであり、比較演算部で用いられる１水平走査ライン分に相当する画素データを蓄積し、加算することで得られる。よって、フレームメモリなどを用いることなく１フレーム分の画素データを得ることができる。
【００１６】
さらに、現在表示しようとしているＮフレーム目のｎ番目の水平走査ラインについての画素データが、１フレーム前のｎ番目の水平走査ラインについての画素データに対して増加した場合、それ以後も同じだけデータ（輝度）値が増加すると仮定して、Ｎフレーム目のパネル全体の電流値を予測する。この予測値が制限値を超えると、制限値を超えないように輝度低減率を適用する。よって、画素データの示す輝度レベルに応じた電流がパネルに流れ、パネルの消費電力が決まるような例えばＯＬＥＤパネル等を駆動する場合に、非常に簡素な構成で短時間に輝度低減率を決定でき、リアルタイムでの輝度制限が可能である。
【００１７】
ここで、入力される画素データの輝度が急激に上昇する要因として、例えば、デジタルスチルカメラ（ＤＳＣ）やデジタルビデオカメラ（ＤＶＣ）等に搭載されるディスプレイにおいて、被写体に照射された照明が急に明るくなる、または駆動回路の輝度調整で急激に輝度を上昇させるなどの場合が想定される。この場合、シーン自体は変わらず全体が明るくなる。このような状況においても、本発明の駆動装置又は駆動方法によれば、迅速で確実に輝度を制限でき、かつ低消費電力を実現できる。また、急激な輝度上昇時にも階調の損失などを防止でき、常時、品質の高い表示を行うことができる。
【発明を実施するための最良の形態】
【００１８】
［実施形態１］
以下、本発明の実施形態１について説明する。本実施形態１に係る駆動装置及び駆動方法は、ｋ（行：水平走査方向）×ｌ（列：垂直走査方向）のマトリクス状に配置された複数の画素のそれぞれに表示素子を備える表示パネルを備え、各画素での輝度を制御して所望イメージを表示する表示装置の駆動に採用される。表示パネルとしては、各画素に電流駆動型の表示素子を備えるパネル、例えば表示素子としてダイオード構造の発光素子であるＯＬＥＤ素子を用いたＯＬＥＤパネルが適用可能である。
【００１９】
上述のようにＯＬＥＤ素子は、供給する電流量に発光輝度がほぼ比例しており、表示画像が明るくなるほど各ＯＬＥＤ素子に流れる電流量が多くなり、表示パネル全体としての電流量、つまりパネル消費電力が増大する。
【００２０】
そこで、本実施形態では、このような各画素に供給する画素データについて、ｎ番目の水平走査ラインの画素データの総和を求め、この総和と、前フレームのｎ番目水平走査ラインの総和との差を求める。さらに、この差と、Ｎ−１フレーム目の全画素データと、に基づいて、Ｎフレーム目の全画素データの合計値を予測し、予測値が所定の制限値を超える場合、超えないようにＮフレーム目のｎ番目またはそれ以降の水平走査ラインに相当する画素データに対する輝度低減率を設定する。
【００２１】
つまり、現在フレームと、１つ前のフレームのｎ番目の水平走査ラインの画素データの差が、次のフレームのｎ−１番目の水平ラインまで続くと仮定し、１フレーム期間後のパネル電流を予測する。パネル電流は、各画素に供給される画素データ（輝度レベル）に応じて決まるため、パネル電流が所定の制限電流を超えないようにするために、Ｎフレーム目のｎ番目水平走査ラインの画素データの輝度を低減する。ｎ番目以降の画素データに対する輝度低減を行うこともできる。
【００２２】
この予測及び輝度低減処理を式で表すと、以下のようになる。
【００２３】
I(N-1,1)+(i(N,n)-i(N-1,n)）ｘ ｋ  ＞  Ilim             ・・・（１）
と判断されたとき、
C(N,n)  ＝  Ｉlim ／  (I(N-1,1)+(i(N,n)-i(N-1,n))ｘ ｋ)・・・（２）
とする。
【００２４】
ここで、上記（１）、（２）式において、
ｉ（Ｎ，ｎ）：Ｎフレーム、ｎ番目の水平走査ラインの画素データの総和
Ｉ（Ｎ−１，１）：Ｎ−１フレームの画素データの総和
ｋ：水平走査ライン数
Ｃ（Ｎ，ｎ）：Ｎフレーム、ｎ番目の水平走査ラインに適用するコントラスト値（輝度低減率）
Ｉlim：制限電流に応じた輝度レベル（画素データ総和）
である。
【００２５】
この制限値Ｉlimは、表示パネルに求められる消費電力の上限に応じて決まるパネル電流に対応して設定されている。予測値が、制限値Ｉlimを超える場合、そのまま表示するとパネル電流の上限値を上回る可能性が高いので、その制限値を超えないようにＮフレーム目のｎ番目の水平走査ラインに対応する画素データに対して式２を演算して最適な輝度低減率を求め、この輝度低減率をｎ番目の水平走査ラインの画素データに適用する。
【００２６】
なお、前後フレームについて、比較する画素データ（輝度データ）の単位として、以上では１水平走査ライン分として説明したが、１ライン分に限らず数ライン分の画素データの総和（後述する変形例４のように平均値でもよい）を用いることもできる。
【００２７】
次に、本発明の実施形態にかかる表示装置について図１を参照して説明する。表示装置は、各表示素子としてＯＬＥＤ（有機ＥＬ）素子３を用い、さらに画素毎にこのＯＬＥＤ素子３を駆動するためのスイッチ素子を備えたいわゆるアクティブマトリクス型（以下アクティブ型という）ＯＬＥＤ表示装置である。図１は、このようなアクティブ型ＯＬＥＤパネルの１画素当たりの回路構成の一例を示している。
【００２８】
ＯＬＥＤ素子３は、下部電極と上部電極の間にＥＬ層を備える。ＥＬ層は、少なくとも有機発光性化合物を含む発光層を備え、用いる有機発光性化合物の特性などに応じて単層構造や、正孔輸送層、発光層、電子輸送層などからなる３層又は４層以上の多層構造を採用可能である。下部電極と上部電極は、一方がアノード、他方がカソードとして機能し、アノードから正孔が、カソードから電子がＥＬ層に注入される。ＯＬＥＤ素子は、注入された正孔と電子とがＥＬ層内で再結合し、再結合エネルギーによって励起された発光分子が基底状態に戻る際に発光することを利用する。このようなＯＬＥＤ素子を各画素に備えるアクティブ型ＯＬＥＤ表示装置では、ＯＬＥＤ素子の発光輝度を画素毎に精度良く制御することが可能であり、高精細、高品質な表示用途などに適している。アクティブ型ＯＬＥＤ表示装置の場合、ＯＬＥＤ素子の２つの電極の一方は、画素毎に個別形状に形成された画素電極であり、他方は、各画素共通で形成された共通電極として構成することができる。図１の例では、アノードが個別電極で、カソードは、共通電極として構成されている。
【００２９】
各画素に設けられたスイッチ素子としては、薄膜トランジスタ（ＴＦＴ）が採用可能である。図１に示す例では、ＯＬＥＤ素子に接続されこの素子に電源ＰＶｄｄからの供給する電流量を制御する素子駆動用ＴＦＴ１と、ゲートライン（水平走査ライン）に接続され、ゲートラインによって選択された際にオンし、データラインに供給されている画素データを取り込む選択用ＴＦＴ２を備える。また、各画素には、選択用ＴＦＴ２を介して供給される画素データを一定期間保持するための保持容量Ｃｓが設けられている。
【００３０】
素子駆動用のＴＦＴ１は、ｐチャンネルＴＦＴであり、そのソースは、電源ＰＶｄｄに接続され、ドレインはＯＬＥＤ素子のアノードに接続されている。また、ＯＬＥＤ素子のカソードは、負電源ＣＶに接続されている。ＴＦＴ１のゲートは、保持容量Ｃｓを介し電源ＰＶｄｄに接続されているとともに、ＴＦＴ２を介し画素データ（輝度データ）に応じた電圧信号が供給されるデータライン（data）に接続されている。
【００３１】
ここで、選択用ＴＦＴ２は、ｎチャンネルＴＦＴによって構成され、そのゲートは、水平走査方向に伸びるゲートラインに接続されており、ソースは、垂直走査方向に延びる上記データラインに接続され、ドレインは保持容量Ｃｓの一方の電極と、素子駆動用ＴＦＴ１のゲートと、に接続されている。
【００３２】
アクティブ型ＯＬＥＤ表示装置では、各画素に図１のような画素回路が設けられ、表示の際には、順次、水平走査ラインに選択信号（ここではＨレベルの信号）を出力し、この水平走査ラインに接続されたＴＦＴ２がオンする。この状態で、データラインには、画素データが供給され、オンしたＴＦＴ２のソースドレインを介し、保持容量Ｃｓが画素データに応じて充電され、また、この画素データに応じた電圧が素子駆動用ＴＦＴ１のゲートに印加される。上記のように保持容量Ｃｓは、素子駆動用ＴＦＴ１のゲート・ソース間に接続されているので、素子駆動用ＴＦＴ１は、画素データに応じた電圧で動作し、その電圧に応じた電流が電源ＰＶｄｄからＯＬＥＤ素子に供給される。
【００３３】
ＯＬＥＤ素子の発光量と電流はほぼ比例関係にあるが、ＴＦＴ１はゲート−ソース（ＰＶｄｄ）間の電位差Ｖｇｓが所定のしきい値電圧Ｖｔｈを超えることで流れ始める。そこで、データラインに供給する画素データには、画像の黒レベル付近でＯＬＥＤ素子に供給されるドレイン電流が流れ始めるように電圧（Ｖｔｈ）が加算されている。また、画素データの振幅は、白レベル付近で所定の輝度となるような振幅とされている。
【００３４】
図２は、ＴＦＴ２のゲートに印加される入力電圧（Ｖｇｓ）と、ＯＬＥＤ素子の発光輝度および電流ｉｃｖの関係を示している。なお、この電流ｉｃｖは、カソード電流である。ＯＬＥＤ素子は電圧Ｖｇｓが電圧Ｖｔｈで発光し始め、白レベルを示す入力電圧において所定の輝度となるように設定されている。この入力電圧Ｖｇｓは、上述のようにデータラインに出力される画素データに応じているため、画素データを解析すれば、対応するＯＬＥＤ素子の発光輝度、そして電流量を予測できる。
【００３５】
なお、本実施形態にかかる駆動装置及び駆動方法は、アクティブ型ＯＬＥＤ表示装置には限らず、画素毎のスイッチ素子がない、いわゆるパッシブマトリクス型のＯＬＥＤ表示装置においても、上述のようにライン毎の画素データの比較に基づいて各画素に供給する画素データの輝度低減率を制御することで、同様の効果を得ることができる。また、表示装置としてＯＬＥＤ表示装置には限られず、無機発光材料を用いた無機ＥＬ（ＬＥＤ）表示装置や、ＰＤＰ等にも適用することができる。また液晶表示装置にも適用可能である。但し、ＯＬＥＤ表示装置のように、画素に供給する電流などに応じて発光輝度が決まり、この発光輝度に応じてパネルの消費電力が決まる表示装置に適用することで、簡易構成によって、確実かつ迅速に、非常に高い消費電力低減効果を得ることができる。
【００３６】
次に、図３を参照して、本実施形態１に係る表示装置の駆動装置（駆動回路）３００の構成を説明する。表示パネル１００は、図１のような回路構成の画素が、マトリクス状に配置されたＯＬＥＤ表示パネルであり、本実施形態の駆動装置は、ガンマ特性をもたないリニアな特性のＲ，Ｇ，Ｂの入力映像信号から、以下に説明するような構成によりＯＬＥＤ表示パネル１００での表示に適した画素データを作成する。
【００３７】
装置３００に入力されるＲ，Ｇ，Ｂ映像信号は、ラインデータ算出部２１０と、後述するＲ，Ｇ，Ｂ毎に設けられた１Ｈ（１水平走査期間）遅延部３１０に供給される。ラインデータ算出部２１０は、水平同期信号とクロックに基づいて、順に入力されるＲ，Ｇ，Ｂ映像信号に各色の発光効率に応じた係数をかけて、Ｎフレーム目のｎ番目の水平走査ラインに相当する画素データの１ライン分（１水平走査期間分）の加算値（総和）を算出する。算出されたライン加算データｉ（Ｎ、ｎ）は、比較演算部２１６に出力されると共に、フレーム遅延部２１２及び１Ｖデータ加算部２１４にも供給される。フレーム遅延部２１２は、１垂直走査（Ｖ）期間中に１回供給される垂直同期信号および１水平走査（Ｈ）期間中に１回供給される水平同期信号に基づいて、ラインデータ算出部２１０からのライン加算データｉ（Ｎ、ｎ）を１Ｖ期間遅延し、遅延したデータを比較演算部２１６に出力する。
【００３８】
比較演算部２１６では、ライン加算データｉ（Ｎ、ｎ）と、フレーム遅延部２１２から得られる前のフレーム（Ｎ−１フレーム）のｎ番目の水平走査ラインに相当するライン加算データｉ（Ｎ−１，ｎ）との比較演算を行う。比較演算としては、本実施形態１では、その差分データ［ｉ（Ｎ、ｎ）−ｉ（Ｎ−１，ｎ）］を求める。
【００３９】
１Ｖデータ算出部２１４は、ラインデータ算出部２１０から順次供給される１Ｈ毎のライン加算データを、順次加算する加算部であり、水平同期信号及び垂直同期信号に基づいて、１Ｖ期間分（１フレーム分）、つまり、パネルの全水平走査ライン分についてのライン加算データの総和を求める。本実施形態において、１Ｖデータ算出部２１４では、処理対象の前のフレームであるＮ−１フレームの各ライン加算データの総和Ｉ（Ｎ−１，１）が求められる。
【００４０】
輝度決定部２２０は、フレームデータ予測部２２２と、輝度低減率算出部２２４を有する。フレームデータ予測部２２２には、比較演算部２１６からの差分データ［ｉ（Ｎ、ｎ）−ｉ（Ｎ−１，ｎ）］と、上記１Ｖデータ加算部２１４からのＮ−１フレーム目の画素データ総和Ｉ（Ｎ−１）が供給される。フレームデータ予測部２２２は、差分データ［ｉ（Ｎ、ｎ）−ｉ（Ｎ−１，ｎ）］に全水平走査ライン数ｋを乗じて変動値（ｉ（Ｎ、ｎ）−ｉ（Ｎ−１，ｎ））×ｋを求め、この変動値に上記Ｎ−１フレーム目の画素データ総和Ｉ（Ｎ−１，１）を加算する。これにより、Ｎフレーム目における画素データ合計の予測値［Ｉ（Ｎ−１，ｎ）＋（ｉ（Ｎ，ｎ）−ｉ（Ｎ−１，ｎ））ｘｋ］が得られる。
【００４１】
算出された予測値は、輝度低減率算出部２２４に出力され、輝度低減率算出部２２４は、予測値が、制限電流に応じた輝度レベル（画素データ総和）Ｉlimを超えるかどうか判定する（式１参照）。Ｉlimを超える場合、上記式（２）に従って、Ｎフレームのｎ番目の水平走査ラインの画素データに対して適用する輝度低減率（コントラスト値）［Ｃ（Ｎ，ｎ）］をＲ，Ｇ，Ｂ毎に求める。
【００４２】
求めたＲ，Ｇ，Ｂ毎の輝度低減率は、乗算器３２０に出力される。乗算器３２０には、１Ｈ遅延部３１０で１Ｈ期間分遅延された入力映像信号のＮフレーム目のｎ番目の水平走査ラインの画素データが供給され、この画素データに対して、輝度低減率が乗算される。
【００４３】
ここで、１Ｈ遅延部３１０は、演算対象のラインと表示ラインを同じにするためのラインバッファであり、省略することも可能であるが、より精度の高い輝度低減処理及び確実な消費電力の低減などの観点から採用することが好適である。但し、省略した場合であっても、演算対象と表示対象との差が１Ｈ分だけであり、１Ｈ期間で、輝度レベルが急激に変動する可能性は低い。よって、以下に説明する従来方法でフレームメモリを省略した場合と異なり、１Ｈ遅延部３１０を省略することの影響は小さい。
【００４４】
乗算器３２０で、輝度低減率が乗算されたＲ，Ｇ，Ｂ画素データは、次にＲ，Ｇ，Ｂ毎のガンマ補正部３３０に供給される。このガンマ補正部３３０では、表示パネル１００の各ＯＬＥＤ素子の電流−輝度特性などに応じて入力画素データを補正し、ここではＯＬＥＤ素子においてどの表示階調についても最適な輝度で表示が可能なγ補正画素データが得られる。γ補正画素データは、次に、デジタルアナログ（Ｄ／Ａ）変換部３４０において、表示パネル１００の各画素に供給されるアナログ画素データに変換される。もちろん、入力映像信号がアナログ信号であって、途中の演算をデジタル処理しない場合には、このＤ／Ａ変換部３４０を省略することができる。
【００４５】
このように輝度低減処理が施され、かつγ補正の施された画素データは、表示パネル１００の対応するデータライン（図１参照）に供給され、対応するＯＬＥＤ素子には、この画素データに応じた電流が供給される。そして、この電流が所望レベルとなるように制限されている。ここで、本実施形態では、上述のように各ＯＬＥＤ素子のカソードが共通電極として形成されており、各ＯＬＥＤ素子に流れ、そして、共通カソードから流れ出る電流（ＣＶ電流）がパネル全体の電流に相当する。つまり、本実施形態では、このＯＬＥＤ素子の共通カソードから流れ出る電流が制限レベルを超えないように制御され、各ＯＬＥＤ素子の発光輝度を適性に制限すると共に、パネル全体の消費電力を低減しているのである。
【００４６】
次に、ＯＬＥＤパネルの輝度の変化とパネル電流の時間変化を簡単な表示イメージを例に説明する。図４は、表示パネルの画面上での輝度の変化の状態を示しており、図４（ａ）は最初全面４０％輝度の表示画像であり、図４（ｂ）は、図４（ａ）の状態から上半分のみ８０％輝度に変化した状態、図４（ｃ）は図４（ｂ）の状態からさらに上半分が１００％輝度下半分が６０％輝度へと変化した状態を示す。
【００４７】
図５は、図４のような輝度変化をする場合における、画素データの輝度変化及びパネル電流値の変化を示す。なお、図５では、輝度低減処理は施していない。画面全面が最大は高輝度を１００％としたときの４０％輝度で発光している状態では、最大パネル電流１００％に対し４０％の電流がパネル電流となる。フレーム３において、図４（ｂ）のように画面の上半分のみ８０％に変化すると、パネル電流は４０％から上昇し、１フレーム期間中の平均輝度に応じた６０％の電流量に到達し、６０％で一定となる。フレーム６において、図４（ｃ）のように画面の上半分が１００％輝度、下半分が６０％輝度に変化した場合、パネル電流は６０％から８０％に上昇する。
【００４８】
図６は、本実施形態の駆動方法によって輝度低減処理を施した場合における輝度低減率、輝度低減率に応じた画素データ、そしてパネル電流の時間変化を示す。なお、図６（ａ）は駆動回路に入力される画素データの輝度変化を示しているが、上記図５（ａ）と同一である。フレーム３において、そのｎ番目（パネルの上半分の場合）の水平走査ラインの画素データの総和と、フレーム２の同じラインの画素データの総和の差は、輝度レベルで最大輝度の４０％相当であり、この差分に応じて求められるＮフレーム目の画素データの総和（輝度）は、Ｎ−１フレームの画素データの総和（輝度）の２倍（最大値の８０％輝度）と予測される。輝度の制限レベルＩlimを４８％に設定した場合、得られた予測値は制限レベルを超えるため、輝度低減率Ｃ（Ｎ，ｎ）は、図６（ｂ）に示すように、オリジナル画素データに対して６０％と決定される。
【００４９】
したがって、このような輝度低減率が適用された画素データ（輝度レベル）は、図６（ｃ）に示すように、制限値である輝度４８％を超えないように制限され、この場合のパネル電流も、図６（ｄ）に示すように、目標とする最大値の４８％以下に制御される。
【００５０】
フレーム３の後半（画面の下半分）において、表示イメージは４０％輝度で、全フレームの画素データ合計値も輝度４０％であるため、輝度低減率は１００％、つまり低減処理は行われない。
【００５１】
次のフレーム４では、フレーム３と同一の画素データが供給され、式（２）の１Ｈデータの差分が０となる。また、フレーム３期間中の輝度レベルが６０％平均となるため、フレーム４の前半及び後半とも、輝度低減率は、図６（ｂ）のように８０％に設定される。このため、パネル１００に供給される画素データの輝度レベルは、図６（ｃ）のように前半では６４％、後半では３２％に制限される。このフレーム４期間中には、図６（ｄ）に示すように、制限電流４８％を一時的に超えるが、超える程度は非常に小さくかつ期間も少なく、フレーム４の期間平均は、ほぼ制限電流４８％の付近に制限されている。次のフレーム５では、フレーム４と同一の輝度低減率が設定されるが、フレーム４での輝度低減された画素データ（後半）の輝度が３２％であり、図６（ｄ）に示すようにパネル電流は１フレーム期間を通じて４８％に維持されている。
【００５２】
フレーム６以降、表示画像は、図４（ｃ）のように上半分が１００％、下半分が６０％となる。この場合、輝度低減率は、６０％が適用され、適用後の画素データの輝度レベルは、図６（ｃ）のように、フレームの前半が６０％、後半が３６％となり、パネル電流は４８％以下に制限されている。もちろん、輝度が制限された場合であっても、表示品質に重要な影響を及ぼすコントラスト比については、原画素データのコントラスト比が維持されており、輝度を低減することによる表示品質の低下が防止されている。
【００５３】
次に、比較例について図７を参照して説明する。比較例では、従来のようにフレーム単位で画素データを記憶し、そのデータの平均輝度を計算し、フレーム単位で画素データに所定の輝度低減処理を施すという方法を利用し、かつ、フレームメモリを省略して処理を行った。なお、比較例においても、パネル電流の制限電流は、上記実施形態１と同様４８％とした。
【００５４】
入力画像データは、図７（ａ）に示すが、上記図５（ａ）と同じであり、図４に示すような輝度変化が生じている場合を示している。フレームメモリを省略しているので、前のフレームでの輝度平均に基づいて現フレームの輝度低減率が設定される。つまり、図７（ｂ）に示すように、フレーム２まで全面４０％の発光輝度であったイメージが、フレーム３で、上半分８０％輝度、下半分４０％輝度に変化しても、輝度低減率はフレーム２のまま１００％が採用される。よって、パネルに供給される画素データの輝度レベルは制限されず、現データどおり前半８０％、後半４０％となる。したがって、パネル電流は、図７（ｄ）に示すように、フレーム３の期間中に４０％から上昇してパネル電流制限値である４８％を超え、さらに６０％に到達して一定となる。フレーム４になると、フレーム３の原画素データに基づいて、輝度低減率が例えば８０％に設定され（図７（ｂ）参照）、フレーム４の前半では画素データの輝度レベルが６４％、後半が３２％に制限される（図７（ｃ）参照）。しかし、この場合でも、パネル電流は、直ちには４８％以下とはならず、図７（ｄ）の例では、フレーム５になって初めて制限電流４８％に低下し、フレーム３，４の約２フレーム期間、パネル電流はその制限電流を大幅に上回ってしまう。
【００５５】
フレーム６において、表示イメージが上半分８０％輝度、下半分４０％輝度から、上半分１００％輝度、下半分６０％輝度に変化した場合にも、輝度低減処理は１フレーム分遅れる。よって、この場合も、パネル電流は、制限レベル４８％を大きく上回ってしまう。図７（ｄ）に示す例では、フレーム６，７の合計２フレーム期間、最大でパネル電流が７０％近くまで上昇してしまっている。このように制限電流を大きくかつ長期間上回るのでは最大消費電力を低減することができない。さらに、例えば、フレーム４、フレーム７においては、前フレームと同一輝度のイメージを表示しなければならないが、実際には非常に大きな輝度変動が発生している。このような大きな輝度変動は、表示装置の観察者に視認される可能性が高く、著しい表示品質の低下として判断される。したがって、従来のようにフレーム単位でのデータ比較から輝度低減率を設定する場合には、輝度低減率を算出する対象となるフレームと、実際パネルに出力フレームとが一致していることが必須であり、フレームメモリを省略することは不可能であり、駆動装置のコスト低減及び省スペース化の要求を満たすことができない。
【００５６】
一方、本実施形態１の駆動方法を採用すれば、輝度調整のためのメモリとして、基本的に１Ｈ分のデータを保持するメモリ（ラインデータ算出部２１０、１Ｈ遅延部３１０）を設ければよい。他は、この加算データを遅延したり、累積加算すれば演算に必要なデータを得ることができる。したがって非常に簡素な構成で輝度低減処理を実現できる。また、１水平走査ライン分の画素データの前後フレームでの比較ができれば輝度低減率を決定できるので、処理が非常に迅速であり、また、ライン毎に輝度低減処理がなされるので、表示品質を損なうことなく、確実にパネルの最大消費電力を低減できる。
【００５７】
なお、ＯＬＥＤパネルを駆動するためには、全面最大輝度の画像を表示した時に必要な電流が流せるだけの電源を必要とする。このため、通常使用状態で必要な電源容量に比べ、かなり余裕を持った電源が必要となる。また、デジタルカメラ（ＤＳＣ）やビデオカメラ（ＤＶＣ）用等、主に自然画を表示するための表示装置では、画素データの平均レベルは、最大発光輝度に対して通常２５％程度であり、電源の最大電流を使用することは余り無い。つまり、自然画を表示するための表示装置等としてＯＬＥＤパネルを用いた場合、ほとんど使用することがないにも拘わらず最大輝度１００％を達成可能な能力の高い電源を使っていることになる。
【００５８】
しかし、本実施形態では、十分かつ確実にパネル電流を抑制できるので、電流駆動能力が低く低消費電力の電源を利用することが可能であり、表示装置全体の消費電力の低減に大きく貢献できる。また、能力の小さい電源の方が一般的に小面積であるから、装置全体の省スペース化にも寄与できる。このため、ＤＳＣ、ＤＶＣ用の表示装置の駆動装置として用いて非常に高い効果を得ることができる。
【００５９】
また、上述のように現在のＯＬＥＤ素子の寿命は、高輝度発光期間が長いほど短くなる傾向を持つが、本実施形態のようにパネル電流を確実に抑制することにより素子の長寿命化を図ることができる。
【００６０】
［実施形態２］
上記実施形態１では、１Ｈ分の画素データの総和を求め、前フレームの対応する１ライン分の画素データとの比較演算として差を求め、この差が次のフレームの水平ラインｎ−１まで続くと仮定して輝度予測（電流予測）を行っている。これに対し本実施形態２では、比較演算として、画素データの差ではなく、比を算出し、１フレーム後の電流値の予測を行う。この処理を式で示すと、以下のようになる。
【００６１】
I(N-1,1)ｘ i(N,n)／i(N-1,n)＞Ｉlim                        ・・・（３）
と判断されたとき、
C(N,n)＝Ilim ／（I(N-1,1)ｘ i(N,n)/i(N-1,n))              ・・・（４）
とする。
【００６２】
さらに、本実施形態２では、極端な動作を避けるため比ｉ（Ｎ，ｎ）／ｉ（Ｎ−１，ｎ）が設定値ａを超えた時、及びｉ（Ｎ−１，ｎ）が０の時は、
ｉ(N,n)／ｉ(N-1,n)＝ａ      ・・・（５）とする。
【００６３】
図８に、上記駆動方法を実行する駆動装置の概略構成例を示す。図８の駆動装置において実施形態１と相違するのは、図３の比較演算部２１６がラインデータの差を求めていたのに対し、図９に示す比較演算部２２６が、Ｎフレーム目のｎ番目の水平走査ラインの画素データの加算値ｉ（Ｎ，ｎ）と、１フレーム遅延部２１２からのＮ−１フレーム目のｎ番目の水平走査ラインの画素データの加算値ｉ（Ｎ−１，ｎ）との比ｉ（Ｎ，ｎ）／ｉ（Ｎ−１，ｎ）を算出することである。算出された比は、フレームデータ予測部２３２に供給され、フレームデータ予測部２３２は、１Ｖデータ算出部２１４から供給されるＮ−１フレーム目の画素データの総和Ｉ（Ｎ−１，１）と、この比ｉ（Ｎ，ｎ）／ｉ（Ｎ−１，ｎ）との乗算を行い、Ｎフレームでの画素データの総和の予測値を算出する。
【００６４】
輝度低減率算出部２３４は、予測値が、上記式（３）に従って、制限輝度レベルＩlimを超えるかどうか判定する。Ｉlimを超える場合、上記式４に従って、Ｎフレームのｎ番目の水平走査ラインの画素データに対して適用するＲ，Ｇ，Ｂ毎の輝度低減率（コントラスト値）［Ｃ（Ｎ，ｎ）］を求める。この輝度低減率は、実施形態１と同様、乗算器３２０において、１Ｈ期間遅延された映像信号のＮフレーム目のｎ水平走査ラインの各Ｒ，Ｇ，Ｂの画素データに乗算され、表示パネル１００の対応するｎ番目の水平走査ラインの画素では、低減された輝度で表示が行われる。
【００６５】
図９は、図８の駆動装置によって処理した画素データの輝度、輝度低減率、パネル電流の経時変化を示す。図９（ａ）は、上述の図６（ａ）と同一の画素データの波形であり、この画素データに対し、前後フレームでの１Ｈライン分の画素データの比に基づいて、図９（ｂ）に示されるような輝度低減率が設定される。
【００６６】
輝度低減率は、フレーム６以外は図６（ｂ）での設定値と一致している。フレーム６において、輝度低減率は、比を用いたことにより図６（ｂ）と異なるが、このような輝度低減率が適用された画素データの波形は、図６（ｃ）との比較からわかるように、元の画素データの輝度変化に近くなっている。また、パネル電流については、図６（ｄ）と図９（ｄ）との比較からわかるように、フレーム６とフレーム７での波形が少し異なることを除きほぼ同一であり、制限電流４８％以下にほぼ収まっている。
【００６７】
［実施形態３］
上記実施形態１において、１Ｖデータ算出部２１４は、予測演算に用いられるフレームデータの基準値として、Ｎ−１フレーム目の全画素データの加算値を求めているが、本実施形態３では、１フレーム期間前のｎ番目の水平走査ラインから現在のフレームのｎ−１水平走査ラインまでの画素データの総和を求める。他の構成及び処理は上記実施形態１と共通する。実施形態３の場合の予測及び制限処理を式で表すと次のようになる。
Ｉ(N-1,n)＋（ｉ(N,n)−ｉ(N-1,n)）ｘｋ＞Ｉlim    ・・・（６）
と判断された時、
Ｃ(N,n)＝Ｉlim ／（Ｉ(N-1,n)＋（ｉ(N,n)・ｉ(N-1,n)）ｘｋ）・・・（７）
とする。
【００６８】
ここで、Ｉ（Ｎ−１，ｎ）は、Ｎ−１フレーム目のｎ番目の水平走査ラインから、Ｎフレーム目のｎ−１番目の水平走査ラインまでの画素データの総和である。
【００６９】
図１０に実施形態３の場合の画素データの輝度、輝度低減率、パネル電流変化の様子を示す。なお、図１０（ａ）に示す入力画素データは、上述の図５（ａ）と同一である。このような入力画素データに対し、基準となるフレームデータとして、Ｎ−１フレームのｎ番目のラインからＮフレームのｎ−１番目のラインまでの画素データを加算値を用いることで、ライン毎に基準値が調整されるので、図１０（ｂ）に示すように、輝度低減率も、ライン毎に設定される。よって、画素データは、図１０（ｃ）に示すようにライン毎に適切な輝度低減処理が施され、パネル電流が制限値である４８％を超えることを確実に防止することが可能となっている（図１０（ｄ）参照）。
【００７０】
また、実施形態２において、上記のように、予測演算に用いられるフレームデータの基準値として、このように１フレーム期間前のｎ番目の水平走査ラインから現在のフレームのｎ−１水平走査ラインまでの画素データの総和を利用してもよい。
【００７１】
この場合の処理は、以下の式で示される。
I(N-1,1)ｘi(N,n)／i(N-1,n)＞Ｉlim                    ・・・（８）
と判断されたとき、
C(N,n)＝Ilim ／（I(N-1,ｎ) x i(N,n)/i(N-1,n))              ・・・（９）
とする。
【００７２】
このように、ラインデータの比と、現フレームの直前のｎ−１番目の水平走査ラインまでのフレームデータを利用して輝度低減率を決定することによっても、ライン毎に、確実に輝度低減を実行し、パネル電流を制限することができる。
【００７３】
［実施形態の他の変形例］
＜変形例１＞
変形例１では、上記実施形態１〜３で説明した輝度低減率算出部２２４，２３４の前後に、図１１に示すようにローパスフィルタ２４０，２５０（ＬＰＦ１，ＬＰＦ２）をそれぞれ挿入し、最終的な輝度低減率を決定する。
【００７４】
上記実施形態１〜３では、１Ｈ毎に、１ラインデータの比較演算結果と１Ｖデータとを利用して輝度低減率を決定しているが、被写体のシーンが突然大きく変わった場合には、予測値は、実際とかなり食い違い、ライン毎に大きく変化する場合がありうる。しかし、変形例１のようにＬＰＦを前後に設けることで、Ｎフレームのｎ番目のラインの画素データに対し、直前のラインの画素データと極端に異なる輝度低減処理を実行することが防止される。
【００７５】
輝度低減率算出部２２４，２３４の入力側のフィルタ２４０としては、フレームデータ予測部２２２、２３２から供給される予測値に対し、例えば数ラインから数十ラインの平均をとるフィルタを採用することができる。
【００７６】
輝度低減率算出部２２４，２３４の出力側に設けるフィルタ２５０としては、例えば、図１２に示すような構成を採用することができる。このフィルタ２５０は、利得が１／Ｍ（Ｍは１より大きい任意の設定値）のアンプ２５２、フィルタ２５０の出力信号を１Ｈ期間遅延させる遅延部２５４、利得が（Ｍ−１）／Ｍに設定されたアンプ２５６、及び加算器２５８を備える。
【００７７】
アンプ２５２には、輝度減算率算出部２２０，２３０から１Ｈ期間毎に出力される輝度低減率Ｃ（Ｎ，ｎave）が供給され、アンプ２５２はこの輝度低減率を１／Ｍ倍し（減衰し）、加算器２５８にＣ（Ｎ，ｎave）／Ｍが出力される。
【００７８】
アンプ２５６には、遅延部２５６で遅延された１Ｈ期間前のフィルタ出力Ｃlpf（Ｎ，ｎave−１）が供給され、このフィルタ出力は、アンプ２５６において（Ｍ−１）／Ｍ倍され、加算器２５８には、Ｃlpf（Ｎ，ｎave−１）×（Ｍ−１）／Ｍが出力される。
【００７９】
加算器２５８は、Ｃ（Ｎ，ｎave）／ＭとＣlpf（Ｎ，ｎ−１）×（Ｍ−１）／Ｍとを加算し、この加算値が、Ｎフレームのｎ番目の水平走査ラインに適用される輝度低減率Ｃlpf（Ｎ，ｎ）として、乗算器３２０に出力される。
【００８０】
このように、フィルタ２５０では、求められた最新の輝度低減率よりも、１Ｈ期間前の輝度低減率との加算割合を大きく設定することで、急激な輝度低減率の変化を防止している。
【００８１】
＜変形例２＞
実施形態１〜３では、非常に明るいシーンからやや明るいシーンに移ったときに、一時的にパネル電流が制限電流レベルを越える可能性がある。本変形例２では、パネル電流が制限レベルを超えることをより確実に防止するため、ラインデータの差（実施形態１）、ラインデータの比（実施形態２）の値を判定し、判定結果に応じて差又は比を任意の値に置換する。なお、実施形態３への適用は、上記差又は比を任意の値に置換し、かつ、フレームデータとしてＮ−１フレームのｎ番目のラインからＮフレームのｎ−１番目のラインまでのデータを用いればよい。
【００８２】
具体的には、実施形態１については、比較演算部２１６で求めたｉ（Ｎ，ｎ）−ｉ（Ｎ−１，ｎ）が、負の場合（輝度減少の場合）、比較演算部２１６は、その差を用いず、差分データとして、０［ｉ（Ｎ，ｎ）−ｉ（Ｎ−１，ｎ）＝０］をフレームデータ予測部２２２に出力する。
【００８３】
実施形態２については、比較演算部２２６で求めたｉ（Ｎ，ｎ）／ｉ（Ｎ−１，ｎ）が、１未満の時、比較演算部２２６は、その比を用いず、フレームデータ予測部２２８に、比データとして、１［ｉ（Ｎ，ｎ）／ｉ（Ｎ−１，ｎ）＝１］を出力する。
【００８４】
このような処理を行うことで、非常に明るいシーンからやや明るいシーンに変化した場合に、電流値の減少を過大に見積もり、実際の電流値よりも少ない電流値を予測してしまい、十分に輝度制限を行えないということを防止することができる。特に実施形態３のようにＮ−１フレームのｎ番目のラインからＮフレームのｎ−１番目のラインのデータを基フレームデータとして演算を行う場合、より確実にパネル電流を制限値以下にすることができる。
【００８５】
なお、この変形例２の処理を行うことで、明るいシーンから暗いシーンになった時のコントラストの復帰は遅くなるが、消費電力低減、ＯＬＥＤ素子の長寿命化の観点からは目的を達成している。
【００８６】
＜変形例３＞
上述の実施形態、及び変形例では、演算対象のラインと表示ラインを同じにするために１Ｈ遅延部３１０を設けているが、実施形態１で説明したように、省略することもできる。１Ｈ遅延部３１０を省略した場合、１ライン分の応答の遅れが生じるが、パネルの総電流に対しては、全水平ライン数分の１の影響しかない。したがって、通常はこのブロックを省略しても問題ない。
【００８７】
なお、１Ｈ遅延部３１０を省略した場合、輝度低減率の算出式は次のようになる。
Ｉ(N-1,1)＋（ｉ(N,n)−ｉ(N-1,n)）ｘ ｋ  ＞Ｉlim  ・・・（１０）
と判断されたとき、
Ｃ(N,n+1)＝Ｉlim／（Ｉ(N-1,1)＋（ｉ(N,n)−ｉ(N-1,n)）ｘ ｋ）  ・・・（１１）
とする。つまり、変形例３では、ＮフレームとＮ−１フレームのｎ番目の水平走査ライン画素データの比較演算に基づいて、Ｎフレームのｎ番目以降（具体的にはｎ＋１番目）の水平走査ラインにおける画素データに対して輝度低減処理が行われる。
【００８８】
＜変形例４＞
上述の各実施形態，比較例においてラインデータ算出部２１０によって１水平走査ライン分の画素データの総和（加算値）を求め、これを輝度低減率の設定に利用するとして説明している。しかし総和に限らず、１水平走査ライン分の画素データの平均値を求めてもよい。平均値は、ラインデータ算出部２１０で得た画素データの１Ｈ分の総和を１水平走査ラインの画素数（パネルの列数ｌに等しい）で除すことで求めることができる。この場合、１フレーム遅延部２１２は、１Ｈデータの平均値を１フレーム遅延させ、１Ｖデータ算出部２１４、２２４は、１フレーム相当の画素データの総和ではなく平均値を求めればよい。比較演算部２１６、フレームデータ予測部２２２、輝度低減率算出部２２２での演算処理は、各実施形態と同様の処理を適用できる。
【００８９】
以上各実施形態、比較例において輝度の制限レベル、パネル電流の制限レベルは何れも４８％とした場合について説明しているが、もちろん、４８％には限らず、要求される装置の消費電力、表示素子の発光特性などを考慮して、設定することができる。また、状況に応じてこの制限レベルを変更可能としても良い。
【図面の簡単な説明】
【００９０】
【図１】本発明の実施形態に適用可能なアクティブ型ＯＬＥＤパネルの１画素当たりの回路構成を示す図である。
【図２】素子駆動用ＴＦＴのゲートに印加される入力電圧（Ｖｇｓ）と、ＯＬＥＤ素子の輝度および電流ｉｃｖの関係を示す図である。
【図３】本発明の実施形態１にかかる表示装置の駆動装置の構成例を示す図である。
【図４】表示パネルの画面上での輝度の変化の状態を示している。
【図５】図４のような輝度変化をする場合において、輝度低減処理をしない場合における画素データの輝度変化及びパネル電流の経時変化を示す図である。
【図６】本発明の実施形態１の駆動方法によって輝度低減処理を実行する場合の画素データの輝度、輝度低減率及びパネル電流の時間変化を示す図である。
【図７】比較例にかかる輝度低減処理を実行する場合の画素データの輝度、輝度低減率及びパネル電流の時間変化を示す図である。
【図８】本発明の実施形態２にかかる表示装置の駆動装置の構成例を示す図である。
【図９】実施形態２の駆動方法によって輝度低減処理を実行する場合の画素データの輝度、輝度低減率及びパネル電流の経時変化を示す図である。
【図１０】実施形態３の駆動方法によって輝度低減処理を実行する場合の画素データの輝度、輝度低減率、パネル電流の経時変化を示す図である。
【図１１】本発明の実施形態の変形例１を説明する図である。
【図１２】ＬＰＦ２の構成例を示す図である。
【符号の説明】
【００９１】
１  素子駆動用ＴＦＴ、２  選択用ＴＦＴ、３  ＯＬＥＤ素子（有機ＥＬ素子）、１００  表示パネル、２１０  ラインデータ算出部、２１２  １フレーム遅延部、２１４  １Ｖデータ算出部、２１６，２２６  比較演算部、２２０，２３０  輝度決定部、２２２,２３２  フレームデータ予測部、２２４，２３４  輝度低減率算出部、３００  駆動回路、３１０  １Ｈ遅延部、３２０  乗算器、３３０  γ補正部、３４０  Ｄ／Ａ変換部。
【図１】
0005248750.tif 000002
【図２】
0005248750.tif 000003
【図３】
0005248750.tif 000004
【図４】
0005248750.tif 000005
【図５】
0005248750.tif 000006
【図６】
0005248750.tif 000007
【図７】
0005248750.tif 000008
【図８】
0005248750.tif 000009
【図９】
0005248750.tif 000010
【図１０】
0005248750.tif 000011
【図１１】
0005248750.tif 000012
【図１２】
0005248750.tif 000013